(57)【要約】【課題】HDBaseT信号の送信機側の仕様に関わらず、Ethernet信号を常に受信可能なプロジェクター１を提供する。【解決手段】本発明のプロジェクター１は、HDBaseT信号で伝送可能な複数の信号を受信するHDBaseT受信回路１２と、Ethernet信号のみを受信可能なPhy受信回路１３と、HDBaseT受信回路１２で受信したEthernet信号（MII信号）とPhy受信回路１３で受信したEthernet信号（MII信号）とのいずれかに切り替えるためのMII-SW回路１５と、MII-SW回路１５で選択されたMII信号を処理するCPU16と、を備えた。【選択図】図２
2014071436.tif 000002
【特許請求の範囲】
【請求項１】
HDBaseT信号で送信可能なＮ個（Ｎは、Ｎ≧２となる整数）の規格に基づく信号を受信するHDBaseT受信回路と、
前記Ｎ個の規格のうち第１の規格のみに対応し、当該第１の規格の信号を受信する専用受信回路と、
前記HDBaseT受信回路または前記専用受信回路により受信した信号を処理する信号処理部と、
前記第１の規格の信号を前記信号処理部に出力する出力対象回路を、前記HDBaseT受信回路と前記専用受信回路のいずれかに切り替える回路切替部と、を備えたことを特徴とする画像表示装置。
【請求項２】
前記HDBaseT受信回路と前記専用受信回路の各受信回路に対し、個別に電源供給を行う個別電源回路と、
各個別電源回路に対する電源供給制御を行う電源制御部と、
画像表示装置の動作モードを、オペレーションモードとスタンバイモードのいずれかに切り替えるモード切替部と、をさらに備え、
前記電源制御部は、前記スタンバイモード時において、前記出力対象回路に対応しない個別電源回路に対し、電源供給を行わないことを特徴とする請求項１に記載の画像表示装置。
【請求項３】
前記HDBaseT受信回路の動作状態を、Ｎ個の規格の信号を受信可能なフル動作状態と、前記第１の規格の信号を含むＬ種類（Ｌは、１≦Ｌ≦Ｎ−１となる整数）の規格の信号を受信可能な第２ＬＰＦ状態と、前記第１の規格の信号を含まないＭ種類（Ｍは、１≦Ｍ≦Ｌ−１となる整数）の規格の信号を受信可能な第１ＬＰＦ状態と、の間で切り替える動作状態切替部をさらに備え、
前記動作状態切替部は、前記スタンバイモード時且つ前記出力対象回路が前記HDBaseT受信回路に切り替えられている状態において、前記第１の規格の信号が前記HDBaseT受信回路に入力されている場合は、前記HDBaseT受信回路の動作状態を前記第２ＬＰＦ状態に切り替え、前記第１の規格の信号が前記HDBaseT受信回路に入力されていない場合は、前記HDBaseT受信回路の動作状態を前記第１ＬＰＦ状態に切り替えることを特徴とする請求項２に記載の画像表示装置。
【請求項４】
前記専用受信回路に入力されている前記第１の規格の信号が、HDBaseT送信回路から送信されたHDBaseT回路用信号か否かを判別する信号判別部と、
前記信号判別部により、前記専用受信回路に入力されている前記第１の規格の信号が、前記HDBaseT回路用信号であると判別された場合、警告を行う警告部と、をさらに備えたことを特徴とする請求項２または３に記載の画像表示装置。
【請求項５】
前記電源制御部は、前記信号判別部により、前記専用受信回路に入力されている前記第１の規格の信号が、前記HDBaseT回路用信号であると判別された場合、前記専用受信回路に対し、電源供給を行わないことを特徴とする請求項４に記載の画像表示装置。
【請求項６】
ユーザーが前記出力対象回路を選択する操作部をさらに備え、
前記回路切替部は、前記操作部の選択操作にしたがって、前記出力対象回路を切り替えることを特徴とする請求項１ないし５のいずれか１項に記載の画像表示装置。
【請求項７】
それぞれ異なる規格の信号を受信する前記専用受信回路を、Ｎ個備え、
前記回路切替部は、Ｎ個の信号の前記出力対象回路を、それぞれ前記HDBaseT受信回路と前記専用受信回路のいずれかに切り替えることを特徴とする請求項１ないし６のいずれか１項に記載の画像表示装置。
【請求項８】
前記第１の規格の信号は、Ethernet信号であることを特徴とする請求項１ないし７のいずれか１項に記載の画像表示装置。
【請求項９】
HDBaseT信号で伝送可能なＮ個（Ｎは、Ｎ≧２となる整数）の規格に基づく信号を受信するHDBaseT受信回路と、前記Ｎ個の規格のうち第１の規格のみに対応し、当該第１の規格の信号を受信する専用受信回路と、のいずれかにより受信した信号を、信号処理部により処理するステップと、
前記第１の規格の信号を前記信号処理部に出力する出力対象回路を、前記HDBaseT受信回路と前記専用受信回路のいずれかに切り替えるステップと、を実行することを特徴とする画像表示装置の制御方法。
【発明の詳細な説明】
【技術分野】
【０００１】
本発明は、LAN接続可能な画像表示装置および画像表示装置の制御方法に関するものである。
【背景技術】
【０００２】
従来、パーソナルコンピューターとLANケーブルを介して接続され、映像信号および制御信号を受信可能なプロジェクターが知られている（例えば、特許文献１）。このようなネットワーク機能を有するプロジェクターは、Ethernet信号（登録商標）の入力端子として、一般にRJ45コネクタが用いられている。
【０００３】
一方、近年HDBaseT規格が策定され、それに対応した受信回路を搭載することで、Ethernet信号だけでなく、HDMI（High-Definition  Multimedia  Interface）信号、UART（Universal  Asynchronous  Receiver  Transmitter）信号、IR（Infra  Red）信号の長距離伝送が可能となった。なお、「HDBaseT規格」とは、HDBaseT  Allianceによって策定された接続規格を指す。また、このHDBaseT規格に基づく信号を受信する場合も、入力端子としてRJ45コネクタが用いられる。
【先行技術文献】
【特許文献】
【０００４】
【特許文献１】特開２００６−２８５１６７号公報
【発明の概要】
【発明が解決しようとする課題】
【０００５】
ところが、HDBaseT信号の送信機側の仕様は任意なため、例えばHDMI信号しか対応していないものがある。この場合、プロジェクター側（受信機側）にHDBaseT信号の受信用RJ45コネクタが一つしか搭載されていないと、HDMI信号以外の信号の受信（伝送）ができないといった問題がある。
【０００６】
本発明は、このような問題点に鑑み、HDBaseT信号の送信機側の仕様に関わらず、HDBaseTで送信可能な信号のうち、HDBaseT経由で受信した信号とそれ以外の経路で受信した信号とを、常に選択受信可能な画像表示装置および画像表示装置の制御方法を提供することを目的とする。
【課題を解決するための手段】
【０００７】
本発明の画像表示装置は、HDBaseT信号で伝送可能なＮ個（Ｎは、Ｎ≧２となる整数）の規格に基づく信号を受信するHDBaseT受信回路と、Ｎ個の規格のうち第１の規格のみに対応し、当該第１の規格の信号を受信する専用受信回路と、HDBaseT受信回路または専用受信回路により受信した信号を処理する信号処理部と、第１の規格の信号を信号処理部に出力する出力対象回路を、HDBaseT受信回路と専用受信回路のいずれかに切り替える回路切替部と、を備えたことを特徴とする。
【０００８】
本発明の画像表示装置の制御方法は、HDBaseT信号で伝送可能なＮ個（Ｎは、Ｎ≧２となる整数）の規格に基づく信号を受信するHDBaseT受信回路と、Ｎ個の規格のうち第１の規格のみに対応し、当該第１の規格の信号を受信する専用受信回路と、HDBaseT受信回路または専用受信回路により受信した信号を、信号処理部により処理するステップと、第１の規格の信号を信号処理部に出力する出力対象回路を、HDBaseT受信回路と専用受信回路のいずれかに切り替えるステップと、を実行することを特徴とする。
【０００９】
これらの構成によれば、HDBaseTに対応するHDBaseT受信回路と、第１の規格のみに対応する専用受信回路と、を別々に備えているため、HDBaseT送信機側の仕様に関わらず、常に第１の規格の信号を受信することができる。また、第１の規格の信号を信号処理部に出力する出力対象回路を、HDBaseT受信回路と専用受信回路のいずれかに切り替える構成であるため、独立した２つの信号処理部を必要としない。このため、第１の規格の信号の常時受信機能を有しつつも、コストアップを抑えることができる。
なお、「第１の規格の信号」とは、HDBaseT規格により伝送可能なEthernet信号、HDMI信号、UART信号、IR信号などを指す。
また、「回路切替部」は、ユーザー操作に応じて切り替え可能としても良いし、他の要因（例えば、受信回路以外で受信可能な外部信号、装置の内部状態等）に応じて切り替え可能としても良い。
また、「画像表示装置」とは、プロジェクター、テレビ、コンピューター、タブレット端末、ＳＴＢ（Set  Top  Box）、ＡＶアンプなど、画像を表示する装置、または他の表示装置に画像を表示させるための装置を指す。
【００１０】
上記の画像表示装置において、HDBaseT受信回路と専用受信回路の各受信回路に対し、個別に電源供給を行う個別電源回路と、各個別電源回路に対する電源供給制御を行う電源制御部と、画像表示装置の動作モードを、オペレーションモードとスタンバイモードのいずれかに切り替えるモード切替部と、をさらに備え、電源制御部は、スタンバイモード時において、出力対象回路に対応しない個別電源回路に対し、電源供給を行わないことを特徴とする。
【００１１】
この構成によれば、スタンバイモード時は、出力対象回路に対応しない個別電源回路に対して電源供給を行わない構成であるため、消費電力を抑えることができる。
【００１２】
上記の画像表示装置において、HDBaseT受信回路の動作状態を、Ｎ個の規格の信号を受信可能なフル動作状態と、第１の規格の信号を含むＬ種類（Ｌは、１≦Ｌ≦Ｎ−１となる整数）の規格の信号を受信可能な第２ＬＰＦ状態と、第１の規格の信号を含まないＭ種類（Ｍは、１≦Ｍ≦Ｌ−１となる整数）の規格の信号を受信可能な第１ＬＰＦ状態と、の間で切り替える動作状態切替部をさらに備え、動作状態切替部は、スタンバイモード時且つ出力対象回路がHDBaseT受信回路に切り替えられている状態において、第１の規格の信号がHDBaseT受信回路に入力されている場合は、HDBaseT受信回路の動作状態を第２ＬＰＦ状態に切り替え、第１の規格の信号がHDBaseT受信回路に入力されていない場合は、HDBaseT受信回路の動作状態を第１ＬＰＦ状態に切り替えることを特徴とする。
【００１３】
この構成によれば、スタンバイモード時且つ出力対象回路がHDBaseT受信回路に切り替えられている状態において、第１の規格の信号がHDBaseT受信回路に入力されている場合、HDBaseT受信回路の動作状態を、フル動作状態よりも受信可能な信号数が少ない第２ＬＰＦ状態とすることで、省電力化を図ることができる。また、第１の規格の信号がHDBaseT受信回路に入力されていない場合は、第２ＬＰＦ状態よりも受信可能な信号数が少ない第１ＬＰＦ状態とするため、さらに省電力化を図ることができる。
【００１４】
上記の画像表示装置において、専用受信回路に入力されている第１の規格の信号が、HDBaseT送信回路から送信されたHDBaseT回路用信号か否かを判別する信号判別部と、信号判別部により、専用受信回路に入力されている第１の規格の信号が、HDBaseT回路用信号であると判別された場合、警告を行う警告部と、をさらに備えたことを特徴とする。
【００１５】
この構成によれば、専用受信回路に入力されている第１の規格の信号がHDBaseT回路用信号であると判別された場合、警告を行うため、誤接続を防止できる。逆に、HDBaseT受信回路に専用回路用信号が入力された場合は、正常に処理可能であるため、専用受信回路に入力されている信号により判別を行うことで、より効果的な判別を行うことができる。
【００１６】
上記の画像表示装置において、電源制御部は、信号判別部により、専用受信回路に入力されている第１の規格の信号が、HDBaseT回路用信号であると判別された場合、専用受信回路に対し、電源供給を行わないことを特徴とする。
【００１７】
この構成によれば、専用受信回路に入力されている第１の規格の信号がHDBaseT回路用信号であると判別された場合は、専用受信回路による処理ができないため、電源供給を行わないことで、無駄な電力消費を防止できる。出力対象回路が専用受信回路に切り替えられている場合であっても、同様である。
【００１８】
上記の画像表示装置において、ユーザーが出力対象回路を選択する操作部をさらに備え、回路切替部は、操作部の選択操作にしたがって、出力対象回路を切り替えることを特徴とする。
【００１９】
この構成によれば、ユーザーのニーズに応じ、出力対象回路として、HDBaseT受信回路と専用受信回路のいずれかを選択することができる。
【００２０】
上記の画像表示装置において、それぞれ異なる規格の信号を受信する専用受信回路を、Ｎ個備え、回路切替部は、Ｎ個の信号の出力対象回路を、それぞれHDBaseT受信回路と専用受信回路のいずれかに切り替えることを特徴とする。
【００２１】
この構成によれば、第１の規格の信号だけでなく、HDBaseT受信回路で受信可能なＮ個の規格の信号について、HDBaseT信号の送信機側の仕様に関わらず、常に受信することができる。これにより、ユーザーの利便性が高いインターフェースを実現できる。
【００２２】
上記の画像表示装置において、第１の規格の信号は、Ethernet信号であることを特徴とする。
【００２３】
この構成によれば、HDBaseT信号の送信機側の仕様に関わらず、常にEthernet信号を受信することができる。また、Ethernet信号以外に、他の信号も同時受信が可能であるため、HDMI信号（映像信号）を表示しながらEthernet信号（制御信号）を受信したり、HDMI信号（映像信号）の表示中に、裏画面としてEthernet信号（他の映像信号）を待機させておく、などの使い方が可能となる。
【図面の簡単な説明】
【００２４】
【図１】第１実施形態に係る投写システムのシステム構成図である。
【図２】プロジェクターの制御系の概要ブロック図である。
【図３】プロジェクターの制御系の詳細ブロック図である。
【図４】プロジェクターの動作モードに関する説明図である。
【図５】（ａ）は、CPUの受信回路切替処理を示すフローチャートであり、（ｂ）は、CPUのEthernet信号判別処理を示すフローチャートである。
【図６】（ａ）は、スタンバイモード移行処理を示すフローチャートであり、（ｂ）は、オペレーションモード移行処理を示すフローチャートである。
【図７】HDBaseT受信回路の動作状態切替処理を示すフローチャートである。
【図８】第２実施形態に係る投写システムのシステム構成図である。
【図９】第２実施形態に係る受信回路選択肢に関する説明図である。
【発明を実施するための形態】
【００２５】
［第１実施形態］
以下、本発明の一実施形態について、添付図面を参照しながら詳細に説明する。第１実施形態では、請求項における「第１の規格の信号」を、Ethernet信号とした場合について例示する。また、請求項における「画像表示装置」として、プロジェクター１を例示する。
【００２６】
図１は、第１実施形態に係る投写システムＳＹのシステム構成図である。投写システムＳＹは、プロジェクター１（画像表示装置）と、当該プロジェクター１に対してHDBaseT信号を送信するHDBaseT送信機３と、HDBaseT信号で伝送可能な各種信号を出力する各種電子機器２と、を備えている。
【００２７】
電子機器２として、本実施形態では、DVD（Digital  Versatile  Disc）、PC（Personal  computer）、リモコン(Remote  Controller)などを用いる。DVDは、HDMI（High-Definition  Multimedia  Interface）信号を出力し、PC（Personal  computer）は、Ethernet信号およびUART（Universal  Asynchronous  Receiver  Transmitter）信号を出力し、リモコンは、IR（Infra  Red）信号を出力する。これら各種規格に基づく信号は、全てHDBaseTの接続規格に基づいて伝送可能となっている。なお、電子機器２としてはこれらに限らず、HDBaseTにより伝送可能な信号を出力可能なものであれば適用可能である。
【００２８】
HDBaseT送信機３は、DVD、PC1、リモコンから出力された信号を受信し、プロジェクター１に対してHDBaseT信号を送信する。また、HDBaseT送信機３には、RJ45コネクタ３１が設けられ、Ｃat5eケーブル４ａを介してHDBaseT信号を伝送する。一方、PC2は、HDBaseT送信機３を介することなく、プロジェクター１に対してEthernet信号を直接送信する。また、PC2には、RJ45コネクタ２１が設けられ、Ｃat5ケーブル４ｂを介してEthernet信号を伝送する。
【００２９】
プロジェクター１は、Ｃat5eケーブル４ａ（またはそれ以上のCatケーブル）が接続されるRJ45コネクタ１１ａと、Ｃat5ケーブル４ｂが接続されるRJ45コネクタ１１ｂと、の２つのRJ45コネクタが設けられ、それぞれHDBaseT信号およびEthernet信号を受信する。このように、本実施形態のプロジェクター１は、HDBaseT信号用とEthernet信号用の２つのRJ45コネクタ１１ａ，１１ｂを搭載しているため、HDBaseT送信機３の仕様に関わらず（例えば、HDBaseT送信機３がHDMI信号のみに対応している仕様の場合でも）、確実にEthernet信号を受信可能となっている。
【００３０】
また、プロジェクター１の構成要素は、制御系１１０、投写光学系１２０およびＵＩ（User  Interface）系１３０（操作部）に大別される。投写光学系１２０とは、投写面（スクリーン）に対して投写画像を表示する機構であり、光源、光変調装置および投写レンズなどを指す。また、ＵＩ系１３０とは、プロジェクター１用のリモコン、プロジェクター１本体に設けられた操作パネル、およびOSD（On  Screen  Display）処理部などを指す。OSD処理部は、投写面に操作画面や警告を表示するものであり、制御系１１０の制御下で表示処理を行う。
【００３１】
次に、図２を参照し、プロジェクター１の制御系１１０について概要を説明する。プロジェクター１は、制御系１１０として、HDBaseT受信回路１２、Phy（Physical  Layer）受信回路１３（専用受信回路）、映像回路１４、MII（Media  Independent  Interface）-SW回路１５（回路切替部）およびCPU（Central  Processing  Unit）１６を備えている。
【００３２】
HDBaseT受信回路１２は、RJ45コネクタ１１ａから入力されたHDBaseT信号を受信し、当該HDBaseT信号をデコードして、HDMI信号、MII信号（Ethernet信号に対応し、Ethernet信号処理において、MAC層と物理層をつなぐために変換された信号）、UART信号、IR信号を出力する。つまり、HDBaseTに対応する複数の規格（本実施形態では、４個の規格）に基づく信号を受信・処理可能である。Phy受信回路１３は、RJ45コネクタ１１ｂから入力されたEthernet信号を受信し、これをMII信号に変換して出力する。映像回路１４は、HDMI信号に含まれる映像信号の解析・処理を行う。
【００３３】
MII-SW回路１５は、MII信号（Ethernet信号，第１の規格の信号）をCPU１６に対して出力する出力対象回路を、HDBaseT受信回路１２と、Phy受信回路１３のいずれかに切り替える。また、切り替えた出力対象回路（HDBaseT受信回路１２またはPhy受信回路１３）から、MII信号を入力し、これをCPU１６に出力する。出力対象回路の切替は、ＵＩ系１３０を用いたユーザーの選択操作に応じて行うため、以下ユーザーによって選択された受信回路を、「選択受信回路」とも称する。なお、受信回路の選択は、例えばOSDメニューとして選択肢を表示し、いずれかの選択肢をユーザーに選択させる構成でも良いし、リモコンや操作パネルに割り当てられた各受信回路用のボタンを押下させる構成でも良い。一方、CPU１６は、プロジェクター１全体を制御する中央演算処理装置であり、各部との信号入出力制御、モード切替制御、電源制御等を行う。
【００３４】
次に、図３を参照し、CPU１６の制御等について、さらに詳細に説明する。なお、同図では、MII信号以外の信号線について、便宜上図示を省略している。プロジェクター１は、上記以外の制御系１１０として、Ethernet信号判別回路１７（信号判別部）を備えている。また、電源系として、電源供給回路１８および個別電源回路５０を備えている。
【００３５】
電源供給回路１８は、外部電源からの電力を、個別電源回路５０に供給する。また、個別電源回路５０は、HDBaseT受信回路１２に電源供給を行うHDBaseT用電源回路５１と、Phy受信回路１３に電源供給を行うPhy用電源回路５２と、MII-SW回路１５に電源供給を行うMII-SW用電源回路５３と、から成る。
【００３６】
Ethernet信号判別回路１７は、Phy受信回路１３に入力されている信号が、HDBaseT信号か、Ethernet信号かを判別する。上述の通り、HDBaseT信号を伝送するＣat5eケーブル４ａも、Ethernet信号を伝送するＣat5ケーブル４ｂも、同じRJ45コネクタで受信するため、誤接続の可能性がある。そのため、Ethernet信号判別回路１７により、Ｃat5ケーブル４ｂが、正しくRJ45コネクタ１１ｂに接続されているか否かを判別する。判別方法としては、RJ45コネクタ１１ｂの４本の信号線のうち、Ethernet信号の伝送には用いられない２本の信号線のうち、いずれかの信号線の信号の有無を検出し、「信号：有」の場合はHDBaseT信号、「信号：無」の場合はEthernet信号が入力されたと判別する。HDBaseT信号が入力された場合、Phy受信回路１３での処理ができないため、後述するCPU１６により警告処理を行う（警告部１１５）。
【００３７】
CPU１６は、信号処理部１１２、モード切替部１１３、電源制御部１１４および警告部１１５として機能する。信号処理部１１２は、HDBaseT受信回路１２またはPhy受信回路１３により受信した信号を処理する。本実施形態では、MII-SW回路１５により出力対象回路の切り替えが行われるため、一つのCPU１６で、２系統からのMII信号（Ethernet信号）の処理を行うことができる。
【００３８】
モード切替部１１３は、プロジェクター１の動作モードとして、オペレーションモードとスタンバイモードを切り替える。動作モードの切り替えは、ＵＩ系１３０を用いたユーザーのモード切替操作に基づいて行う。図４は、動作モードに関する説明図である。同図に示すように、スタンバイモードには、消費電力が最も低いディープスタンバイモードと、消費電力がディープスタンバイモードよりも大きくオペレーションモードよりも小さいネットワークスタンバイモードと、に区別される。オペレーションモードでは、光源ランプおよびこれを冷却するための冷却ファンは動作状態となり、映像信号および音声信号の処理も行われる。一方、スタンバイモードでは、光源ランプおよびこれを冷却するための冷却ファンは非動作状態となり、映像信号および音声信号の処理は行われない。また、ネットワークスタンバイモードは、ディープスタンバイモードの機能と、ネットワーク機能が有効な状態である。
【００３９】
一方、HDBaseT受信回路１２の動作状態は、フル動作状態、第２ＬＰＦ状態、第１ＬＰＦ状態に区別され、それぞれオペレーションモード、ネットワークスタンバイモード、ディープスタンバイモードに対応している（但し、HDBaseT受信回路１２が出力対象回路として切り替えられている場合）。フル動作状態は、HDMI信号、Ethernet信号、UART信号、IR信号の全てを処理可能な状態である。また、第２ＬＰＦ状態は、HDMI信号のみ処理不能な状態である。また、第１ＬＰＦ状態は、UART信号およびIR信号のみ処理可能（HDMI信号、Ethernet信号のみ処理不能）な状態である。
【００４０】
なお、第１ＬＰＦ状態と第２ＬＰＦ状態は、HDBaseT受信回路１２により、Ethernet信号の受信の有無に応じて切り替えられる（詳細については後述する）。また、図４の例では、HDBaseT受信回路１２が４個の規格の信号を受信している場合について説明しているが、HDBaseT受信回路１２がＮ個の規格の信号を受信している場合、Ethernet信号を含むＬ種類（Ｌは、１≦Ｌ≦Ｎ−１となる整数）の規格の信号を受信可能な第２ＬＰＦ状態と、Ethernet信号を含まないＭ種類（Ｍは、１≦Ｍ≦Ｌ−１となる整数）の規格の信号を受信可能な第１ＬＰＦ状態と、の間で切り替え可能としても良い。
【００４１】
図３の説明に戻る。電源制御部１１４は、個別電源回路５１，５２，５３に対する電源供給制御を行う。具体的には、スタンバイモード（ネットワークスタンバイモードおよびディープスタンバイモード）時において、非選択受信回路に対し、電源供給を行わない。例えば、ユーザーが選択受信回路としてHDBaseT受信回路１２を選択している場合、Phy用電源回路５２によるPhy受信回路１３への電源供給を行わないように、電源制御信号を出力する。逆に、選択受信回路としてPhy受信回路１３を選択している場合、HDBaseT用電源回路５１によるHDBaseT受信回路１２への電源供給を行わないように、電源制御信号を出力する。
【００４２】
また、電源制御部１１４は、Ethernet信号判別回路１７により、Phy受信回路１３に入力されている信号が、HDBaseT信号であると判別された場合、Phy受信回路１３に対し、電源供給を行わない。つまり、この場合は誤接続であり、Phy受信回路１３でHDBaseT信号を処理できないため、無駄な電力供給を防止する。なお、電源制御部１１４は、MII-SW用電源回路５３に対しては、プロジェクター１の動作モードやPhy受信回路１３に入力されている信号に関わらず、常に電源供給を行う。
【００４３】
警告部１１５は、Ethernet信号判別回路１７により、Phy受信回路１３に入力されている信号が、HDBaseT信号であると判別された場合（誤接続の場合）、警告を行う。具体的には、警告内容（「HDBaseT信号のケーブルが誤って接続されています」など）をOSD表示したり、投写画像上に、警告内容を重畳表示することが考えられる。また、電子音を発生させるなど、音声により警告を行っても良い。
【００４４】
一方、HDBaseT受信回路１２は、動作状態切替部１１１として機能する。動作状態切替部１１１は、HDBaseT受信回路１２が選択受信回路として選択されている場合、HDBaseT受信回路１２の動作状態を、フル動作状態、第２ＬＰＦ状態および第１ＬＰＦ状態の間で切り替える（図４参照）。具体的には、プロジェクター１の動作モードがオペレーションモードの場合、フル動作状態とする。また、プロジェクター１の動作モードがスタンバイモード時において、Ethernet信号がHDBaseT受信回路１２に入力されている場合、第２ＬＰＦ状態とし、Ethernet信号がHDBaseT受信回路１２に入力されていない場合、第１ＬＰＦ状態とする。つまり、HDBaseT受信回路１２は、プロジェクター１の動作モードがスタンバイモードに切り替えられても、HDBaseT受信回路１２が選択受信回路として選択され、且つHDBaseT受信回路１２にEthernet信号が入力されている場合は、Ethernet信号の受信・処理を行う。なお、HDBaseT受信回路１２の動作状態を切り替えるには、CPU１６からのHost  IF信号（例えばI2C信号）経由で制御される。
【００４５】
次に、図５ないし図７を参照し、CPU１６およびHDBaseT受信回路１２による各処理の流れ（アルゴリズム）について説明する。図５（ａ）は、CPU１６による受信回路切替処理を示すフローチャートである。CPU１６は、ユーザーによる受信回路の切替操作が行われたか否かを判別し（Ｓ１１）、切替操作が行われた場合は（Ｓ１１：Ｙｅｓ）、選択受信回路（HDBaseT受信回路１２またはPhy受信回路１３）に対して電源供給開始命令を出す（Ｓ１２）。また、MII-SW回路１５に対して選択受信回路の切替命令を行い（Ｓ１３，MII_SEL信号）、その後、非選択受信回路に対して電源供給停止命令を出す（Ｓ１４）。
【００４６】
図５（ｂ）は、CPU１６によるEthernet信号判別処理を示すフローチャートである。CPU１６は、Ethernet信号判別回路１７により、Phy受信回路１３にHDBaseT信号が入力されているか否かを判別し（Ｓ２１）、入力されていると判別した場合は（Ｓ２１：Ｙｅｓ）、OSD表示などによりユーザーに対する警告を行う（Ｓ２２）。その後、Phy受信回路１３に電源供給を行っているか（Ethernet信号の受信回路としてPhy受信回路１３が選択されているか）否かを判別し（Ｓ２３）、電源供給を行っていると判別した場合は（Ｓ２３：Ｙｅｓ）、Phy受信回路１３への電源供給を停止する（Ｓ２４）。
【００４７】
図６（ａ）は、CPU１６によるスタンバイモード移行処理を示すフローチャートである。CPU１６は、ユーザーにより、オペレーションモードからスタンバイモードへの切替操作が行われた場合（Ｓ３１：Ｙｅｓ）、HDBaseT受信回路１２に対して動作状態切替命令を行い（Ｓ３２）、HDBaseT受信回路１２から動作状態切替完了信号を受信する（Ｓ３３）。その後、非選択受信回路（HDBaseT受信回路１２またはPhy受信回路１３）に対して電源供給停止命令を出す（Ｓ３４）。
【００４８】
図６（ｂ）は、CPU１６によるオペレーションモード移行処理を示すフローチャートである。CPU１６は、ユーザーにより、スタンバイモードからオペレーションモードへの切替操作が行われた場合（Ｓ４１：Ｙｅｓ）、HDBaseT受信回路１２に対して動作状態切替命令を行い（Ｓ４２）、HDBaseT受信回路１２から動作状態切替完了信号を受信する（Ｓ４３）。その後、選択受信回路（HDBaseT受信回路１２またはPhy受信回路１３）に対して電源供給開始命令を出す（Ｓ４４）。
【００４９】
図７は、HDBaseT受信回路１２による動作状態切替処理を示すフローチャートである。HDBaseT受信回路１２は、プロジェクター１の動作モードが、現在スタンバイモードであるか否かを判別し（Ｓ５１）、スタンバイモードでない場合（オペレーションモードである場合，Ｓ５１：Ｎｏ）、自身の動作状態をフル動作状態とする（Ｓ５２）。一方、スタンバイモードである場合は（Ｓ５１：Ｙｅｓ）、Ethernet信号を受信しているか否かを判別し（Ｓ５３）、受信している場合は（Ｓ５３：Ｙｅｓ）、自身の動作状態を第２ＬＰＦ状態とする（Ｓ５４）。また、Ethernet信号を受信していない場合は（Ｓ５３：Ｎｏ）、自身の動作状態を第１ＬＰＦ状態とする（Ｓ５５）。
【００５０】
以上説明したとおり、第１実施形態のプロジェクター１によれば、HDBaseTに対応するHDBaseT受信回路１２と、Ethernet信号のみに対応するPhy受信回路１３と、を設けているため、HDBaseT送信機３の仕様に関わらず、常にEthernet信号を受信することができる。これにより、HDMI信号を表示しながらEthernet信号を受信したり、HDMI信号の投写中に、裏画面としてEthernet信号を待機させておくことが可能となる。また、MII-SW回路１５により、Ethernet信号をCPU１６に出力する出力対象回路を、HDBaseT受信回路１２とPhy受信回路１３のいずれかに切り替える構成であるため、独立した２つのCPU１６を必要としない。このため、Ethernet信号の常時受信機能を有しつつも、コストアップを抑えることができる。
【００５１】
また、電源制御部１１４は、スタンバイモード時において、非選択受信回路に対して電源供給を行わない構成であるため、消費電力を抑えることができる。また、選択受信回路がHDBaseT受信回路１２の場合でも、Ethernet信号がHDBaseT受信回路１２に入力されている場合は、HDBaseT受信回路１２の動作状態を第２ＬＰＦ状態とするため、スタンバイモード時における消費電力をさらに抑えることができる。つまり、スタンバイモード時は、Ethernet信号がHDBaseT受信回路１２に入力されている場合、Phy受信回路１３に対して電源供給しないことと、HDBaseT受信回路１２をフル動作状態よりも低消費電力な第２ＬＰＦ状態とすることで、さらに省電力化を図ることができる。
【００５２】
また、Ethernet信号判別回路１７により、Phy受信回路１３に入力されているEthernet信号がHDBaseT信号であると判別された場合、警告を行うため、ケーブルの誤接続を防止できる。また、HDBaseT受信回路１２にEthernet信号が入力された場合でも、正常に処理可能であるため、Phy受信回路１３側で（RJ45コネクタ１１ｂに入力される信号により）判別を行うことで、より効果的な判別を行うことができる。また、Phy受信回路１３に入力されているEthernet信号がHDBaseT信号であると判別された場合は、Phy受信回路１３による処理ができないため、電源供給を行わないことで、無駄な電力消費を防止できる。
【００５３】
なお、上記の実施形態において、電源制御部１１４は、MII-SW用電源回路５３に対し、プロジェクター１の動作モードやPhy受信回路１３に入力されている信号に関わらず、常に電源供給を行うものとしたが、Ethernet信号を受信しないように設定されている場合（HDBaseT受信回路１２およびPhy受信回路１３の両方が非選択受信回路の場合）、MII-SW用電源回路５３に対する電源供給を停止する構成としても良い。
【００５４】
また、上記の実施形態において、Ethernet信号判別回路１７は、RJ45コネクタ１１ｂに入力されている信号を判別したが、RJ45コネクタ１１ａに入力されている信号を判別しても良い。但し、HDBaseT受信回路１２では、PC2から送信されたEthernet信号も処理可能であり、ユーザーが敢えてCat5ケーブル４ｂをRJ45コネクタ１１ａに接続した可能性もあるため、HDBaseT受信回路１２に対する電源供給を停止しないことが好ましい。
【００５５】
［第２実施形態］
次に、図８および図９を参照し、本発明の第２実施形態について説明する。上記の第１実施形態では、「専用受信回路」として、Ethernet信号に対応するPhy受信回路１３のみを備えた構成であったが（図２等参照）、本実施形態では、Ethernet信号以外に、HDMI信号、UART信号、IR信号に対応する専用受信回路をそれぞれ備えた点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５６】
図８は、第２実施形態に係る投写システムＳＹのシステム構成図である。本実施形態に係る投写システムＳＹは、第１実施形態（図１，２等参照）と比較し、信号を出力する電子機器２として、DVD、リモコンが１台ずつ追加され、PC2からUART信号が出力されている点で異なる。また、プロジェクター１の受信回路として、HDBaseT受信回路１２およびPhy受信回路１３以外に、HDMI受信回路６１、IR受信回路６２、UART受信回路６３を備えている点、および回路切替部として、MII-SW回路１５以外に、HDMI-SW回路６４、IR-SW回路６５、UART-SW回路６６を備えている点で異なる。つまり、Ethernet信号、HDMI信号、IR信号、UART信号の４つの信号規格について、それぞれHDBaseT受信回路１２と専用受信回路のいずれかの受信回路を選択可能な構成となっている。なお、図同図では、各信号を入力するコネクタ、端子類（HDMI受信回路６１につながるHDMI端子、IR受信回路６２につながるMini  Jack、UART受信回路６３につながるD-sub9端子など）について、図示を省略している。
【００５７】
図９は、第２実施形態に係る受信回路選択肢に関する説明図である。同図は、４つの信号規格の全てについて、選択受信回路として専用受信回路が選択された場合を示している。つまり、Ethernet信号の場合は、Phy受信回路１３、HDMI信号の場合は、HDMI受信回路６１、IR信号の場合は、IR受信回路６２、UART信号の場合は、UART受信回路６３が、それぞれ選択受信回路となる。
【００５８】
なお、特に図示しないが、本実施形態においても、HDMI受信回路６１、IR受信回路６２、UART受信回路６３に対応する個別電源回路５０を備え、電源制御部１１４により、各個別電源回路５０に対する電源供給制御を行っても良い。この場合、スタンバイモード（ネットワークスタンバイモードおよびディープスタンバイモード）時において、４つの規格全ての信号の受信回路として専用受信回路が選択されている場合（図９の例の場合）、HDBaseT受信回路１２への電源供給を行わない。また、各信号で、HDBaseT受信回路１２が選択されている場合、その信号に対応する専用受信回路への電源供給を行わない。
【００５９】
また、HDBaseT受信回路１２のスタンバイモード時における動作状態切替は、第１実施形態と同様に、HDBaseT受信回路１２にEthernet信号が入力されているか否かに応じて行う。
【００６０】
以上説明したとおり、第２実施形態のプロジェクター１によれば、Ethernet信号だけでなく、HDBaseT受信回路１２で受信可能な４つの規格の信号について、HDBaseT送信機３の仕様に関わらず、常に受信することができる。これにより、ユーザーの利便性が高いインターフェースを実現できる。
【００６１】
なお、上記の２つの実施形態において、回路切替部（SW回路）は、ユーザーの選択操作に応じて、HDBaseT受信回路と専用受信回路のいずれかに回路を切り替える構成としたが、他の要因（例えば、図８に示した各受信回路以外で受信可能な外部信号、プロジェクター１の内部状態等）に応じて、各信号の出力対象回路を切り替える可能としても良い。
【００６２】
また、「画像表示装置」として、プロジェクター１を例示したが、テレビ、コンピューター、タブレット端末、ＳＴＢ（Set  Top  Box）、ＡＶアンプなど、その他の表示装置または表示制御装置に、本発明を適用しても良い。
【００６３】
また、上記の２つの実施形態に示した投写システムＳＹの各構成要素をプログラムとして提供することが可能である。また、そのプログラムを各種記録媒体（ＣＤ−ＲＯＭ、フラッシュメモリ等）に格納して提供することも可能である。すなわち、コンピューターを投写システムＳＹの各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００６４】
１…プロジェクター  ２…電子機器  ３…HDBaseT送信機  １２…HDBaseT受信回路  １３…Phy受信回路  １４…映像回路  １５…MII-SW回路  １７…Ethernet信号判別回路  １８…電源供給回路  ５０…個別電源回路  ５１…HDBaseT用電源回路  ５２…Phy用電源回路  ５３…MII-SW用電源回路  ６１…HDMI受信回路  ６２…IR受信回路  ６３…UART受信回路  ６４…HDMI-SW回路  ６５…IR-SW回路  ６６…UART-SW回路  １１０…制御系  １１１…動作状態切替部  １１２…信号処理部  １１３…モード切替部  １１４…電源制御部  １１５…警告部  １２０…投写光学系  １３０…ＵＩ系  ＳＹ…投写システム
【図１】
2014071436.tif 000003
【図２】
2014071436.tif 000004
【図３】
2014071436.tif 000005
【図４】
2014071436.tif 000006
【図５】
2014071436.tif 000007
【図６】
2014071436.tif 000008
【図７】
2014071436.tif 000009
【図８】
2014071436.tif 000010
【図９】
2014071436.tif 000011